【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
少なくとも第１の測定チャネル（３ａ）および第２の測定チャネル（３ｂ、・・・、３ｎ）を有する生物学的試料用の光学測定装置における較正および／またはエラー検出のための方法であって、前記方法は、前記光学測定装置の前記第２の測定チャネル（３ｂ、・・・、３ｎ）における生物学的試料の測定の間に、
前記第２の測定チャネル（３ｂ、・・・、３ｎ）に対する１つまたは複数の現行基準係数を取得することであって、各基準係数が、前記光学測定装置の前記第１の測定チャネル（３ａ）および第２の測定チャネル（３ｂ、・・・、３ｎ）における、前に取得された測定信号の間の関係を示す、１つまたは複数の現行基準係数を取得することと、
前記生物学的試料を含まない前記第１の測定チャネル（３ａ）の第１の検出信号を判定すること（４０１）と、
前記第２の測定チャネル（３ｂ、・・・、３ｎ）の第２の検出信号を判定すること（４０１）と、
前記第１および第２の検出信号に基づき前記第２の測定チャネル（３ｂ、・・・、３ｎ）に対する更新基準係数を計算すること（４０２）と、
前記更新基準係数を前記１つまたは複数の現行基準係数の少なくとも１つと比較すること（４０３）と、
比較結果に応じて、前記第２の測定チャネル（３ｂ、・・・、３ｎ）における後の測定に用いるために新しい現行基準係数として前記更新基準係数を記憶する（４０６）か、または、前記第２の測定チャネル（３ｂ、・・・、３ｎ）における後の測定に用いるために前記１つまたは複数の現行基準係数を維持すること（４０４）と
を含む基準係数更新処理を繰り返し実施することを含み、
前記第２の測定チャネル（３ｂ、・・・、３ｎ）に前記生物学的試料が存在するときに判定された前記第１および第２の検出信号に基づく更新基準係数は破棄される、方法。
【請求項２】
前記更新基準係数が、前記１つまたは複数の現行基準係数の少なくとも１つから最大でも所定の値だけ逸脱する場合、前記第２の測定チャネル（３ｎ）における後の測定に用いるために新しい現行基準係数として前記更新基準係数を記憶することと、
前記更新基準係数が、前記１つまたは複数の現行基準係数の少なくとも１つから前記所定の値よりも大きく逸脱する場合、前記第２の測定チャネル（３ｎ）における後の測定に用いるために前記１つまたは複数の現行基準係数を維持することとをさらに含む請求項１記載の方法。
【請求項３】
基準係数を計算することが、前記第１および第２の検出信号の比率を決定することを含む請求項１または２記載の方法。
【請求項４】
前記第２の測定チャネル（３ｎ）における後の測定において前記１つまたは複数の現行基準係数を用いることが、
生物学的試料を含まない前記第１の測定チャネル（３ａ）の検出信号を判定することと、
測定される生物学的試料を含む前記第２の測定チャネル（３ｎ）の検出信号を判定することと、
前記現行基準係数の１つによって前記第２の測定チャネル（３ｎ）の前記検出信号を補正することと
を含む請求項１〜３のいずれか１項に記載の方法。
【請求項５】
前記第２の測定チャネルにおける後の測定において前記１つまたは複数の現行基準係数を用いることが、
生物学的試料を含まない前記第１の測定チャネルの検出信号を判定することと、
測定される生物学的試料を含まない前記第２の測定チャネルの検出信号を判定することと、
前記現行基準係数の１つによって前記第２の測定チャネルの前記検出信号を補正することと
を含む請求項１〜４のいずれか１項に記載の方法。
【請求項６】
前記検出信号を補正することが、前記検出信号に前記現行基準係数の１つを乗じること、または、前記検出信号を前記現行基準係数の１つで割ることを含む請求項４または５記載の方法。
【請求項７】
各基準係数に対するタイムスタンプを記憶することをさらに含み、前記タイムスタンプは、特定の前記基準係数が決定されたときを示す請求項１〜６のいずれか１項に記載の方法。
【請求項８】
前記現行基準係数の経過時間を決定するために前記現行基準係数のタイムスタンプを評価すること（３０２）と、
前記現行基準係数の経過時間が所定の最大経過時間を超える場合にエラーメッセージを生成すること（３０３）と
をさらに含む請求項７記載の方法。
【請求項９】
請求項１の前記基準係数更新処理が、前記光学測定装置の動作中に継続的に実施される請求項１〜８のいずれか１項に記載の方法。
【請求項１０】
前記基準係数更新処理が周期的に実施され、前記基準係数更新処理が少なくとも１分に１回、または少なくとも１秒に１回実施される請求項１〜９のいずれか１項に記載の方法。
【請求項１１】
生物学的試料用の前記光学測定装置が、１つまたは複数の付加的な測定チャネル（３ｂ、・・・、３ｎ）を含み、前記方法が、前記光学測定装置の前記第２の、または１つもしくは複数の付加的な測定チャネル（３ｂ、・・・、３ｎ）における生物学的試料の測定の間に、前記１つまたは複数の付加的な測定チャネル（３ｂ、・・・、３ｎ）のそれぞれに対して請求項１〜１０のいずれか１項において設定された基準係数更新処理を繰り返し実施することをさらに含む請求項１〜１０のいずれか１項に記載の方法。
【請求項１２】
前記光学測定装置の、前記第１および第２の測定チャネル（３ａ、３ｎ）を含む全ての測定チャネル（３ａ、・・・、３ｎ）の基準係数に対して平均値を計算すること（２０４）と、
前記第１および第２の測定チャネル（３ａ、３ｎ）を含む各測定チャネル（３ａ、・・・、３ｎ）に対して、それぞれの前記測定チャネル（３ａ、・・・、３ｎ）の基準係数および平均基準係数の逸脱を決定することと、
測定チャネル（３ａ、・・・、３ｎ）の前記基準係数および前記平均基準係数からの逸脱が所定の限度を超える場合、それぞれの前記測定チャネル（３ａ、・・・、３ｎ）をフラグ付けすることと
をさらに含み、
前記平均値が、中央値または算術平均である、
請求項１〜１１のいずれか１項に記載の方法。
【請求項１３】
前記第２の測定チャネル（３ｎ）における後の測定での前記更新基準係数の使用を遅延させることをさらに含み、前記遅延は、前記生物学的試料を含む容器の挿入または取り外し中に決定される更新基準係数を用いることが回避されるように選択される請求項１〜１２のいずれか１項に記載の方法。
【請求項１４】
生物学的試料用の光学測定装置であって、前記光学測定装置が、
第１の測定チャネル（３ａ）と、
第２の測定チャネル（３ｂ、・・・、３ｎ）と、
前記生物学的試料を前記第２の測定チャネルに挿入し、前記第２の測定チャネルから取り外すための手段と、
前記第１の測定チャネル（３ａ）および第２の測定チャネル（３ｂ、・・・、３ｎ）から信号を受け取るように構成される検出器（７）と、
前記光学測定装置において較正および／またはエラー検出のための方法を実施するように構成される制御装置と
を備え、前記方法は、
前記光学測定装置の動作中に、
前記第２の測定チャネル（３ｂ、・・・、３ｎ）に対する１つまたは複数の現行基準係数を取得するステップであって、各基準係数が、前記光学測定装置の前記第１の測定チャネル（３ａ）および第２の測定チャネル（３ｂ、・・・、３ｎ）における、前に取得された測定信号の間の関係を示す、１つまたは複数の現行基準係数を取得するステップと、
前記生物学的試料を含まない前記第１の測定チャネル（３ａ）の第１の検出信号を判定するステップと、
前記第２の測定チャネル（３ｂ、・・・、３ｎ）の第２の検出信号を判定するステップと、
前記第１および第２の検出信号に基づき前記第２の測定チャネル（３ｂ、・・・、３ｎ）に対する更新基準係数を計算するステップと、
前記更新基準係数を前記１つまたは複数の現行基準係数の少なくとも１つと比較するステップと、
比較結果に応じて、前記第２の測定チャネル（３ｂ、・・・、３ｎ）における後の測定に用いるために新しい現行基準係数として前記更新基準係数を記憶するか、または、前記第２の測定チャネル（３ｂ、・・・、３ｎ）における後の測定に用いるために前記１つまたは複数の現行基準係数を維持するステップと
を含む基準係数更新処理を繰り返し実施することを含み、
前記第２の測定チャネル（３ｂ、・・・、３ｎ）に前記生物学的試料が存在するときに判定された前記第１および第２の検出信号に基づく更新基準係数は破棄される、光学測定装置。
【請求項１５】
記憶される命令を有するコンピュータ可読媒体であって、前記命令が、コンピュータシステムによって実行されると、請求項１４記載の光学測定装置に、請求項１〜１３のいずれか１項に記載の方法のステップを実行させる、コンピュータ可読媒体。